(57)【要約】      （修正有）【課題】衝撃を受けても外れ難く、反面手を加えれば開け易い折り畳み紙箱の開閉板の係止構造を提供する。【解決手段】折り畳み紙箱Ａの一方の相対向する各側面を開口面とし、開口面の上下の縁に上下の開閉板８、２を設け、上開閉板８の先端縁の中央に山形の第１差し込み舌片９ａを設け、開閉板８上であって第１差し込み舌片９ａと並行な位置に逆向きの山形の切り込み９ｃを設け、切り込み９ｃに囲まれた部分を第２差し込み舌片９ｄとし、上下の各開閉板８、２を折り込んで閉じた際、下開閉板２上において、上開閉板８の第１差し込み舌片９ａ及び第２差し込み舌片９ｄと対向する個所に四角形状の開口を設け、上下の各開閉板８、２を折り込んで閉じ、上開閉板８の第２差し込み舌片９ｄを下開閉板２の開口の一端縁内に差し入れ、上開閉板８の先端縁の第１差し込み舌片９ａを下開閉板２の開口の他端縁内に差し入れて上下の各開閉板８、２を固定する。【選択図】図１
0003188465.tif 000002
【実用新案登録請求の範囲】
【請求項１】
折り畳み紙箱の一方の相対向する各側面を夫々開口面とし、当該各開口面の上下の縁に折り目を介して上下の開閉板を設け、当該開閉板のどちらか一方の先端縁の略中央に略山形の第１差し込み舌片を設け、当該開閉板上であって上記第１差し込み舌片と略並行な位置に当該第１差し込み舌片と逆向きの略山形の切り込みを設け、当該切り込みに囲まれた部分を第２差し込み舌片とし、
上記上下の各開閉板を折り込んで閉じた際、当該他方の開閉板上において、上記一方の開閉板の第１差し込み舌片及び上記第２差し込み舌片と対向する個所に略四角形状の開口を設け、
上記上下の各開閉板を折り込んで閉じ、上記一方の開閉板の第２差し込み舌片を上記他方の開閉板の開口の一端縁内に差し入れ、当該一方の開閉板の先端縁の第１差し込み舌片を他方の開閉板の開口の他端縁内に差し入れて当該上下の各開閉板を固定することを特徴とした、折り畳み紙箱の開閉板の係止構造。
【請求項２】
上記上下の開閉板に代えて、開口面の左右の縁に折り目を介して設けた左右の開閉板に各差し込み舌片及び開口を設けたことを特徴とする、上記請求項１に記載の折り畳み紙箱の開閉板の係止構造。
【請求項３】
上記一方の開閉板の第１差し込み舌片の両側外端縁に小突起を夫々設け、上記他方の開閉板の開口の底板側の両角部に横方向に向いた鉤型の切り込みを設け、上記小突起を含む第１差し込み舌片の横方向の長さを上記開口の切り込みを含む横方向の長さと同じか又はやや短く設け、
上記各開閉板を折り込んで閉じ、上記第１差し込み舌片を他方の開閉板の開口の一端縁内に差し入れた際、当該第１差し込み舌片の各小突起が上記他方の開閉板の両側の切り込み周辺又は当該切り込みによって形成された小突片に係止されることを特徴とした、上記請求項１又は、２の何れかに記載の折り畳み紙箱の開閉板の係止構造。
【考案の詳細な説明】
【技術分野】
【０００１】
この考案は、洋菓子店等において、菓子やその他の食品等の持ち運びに使用される紙箱に関するものであって、例えば、デコレーションケーキやその他のものを持ち運ぶ折り畳み紙箱の開閉板の係止構造に関するものである。
【背景技術】
【０００２】
従来、洋菓子店において、ケーキなどの生菓子を販売する際、購入者が持ち運びに便利な紙箱を使用している。この様な紙箱の中に、デコレーションケーキを入れる、いわゆるデコケース（以下、単に『デコケース』と言う）と言うものがある。この様なデコケースの中に、上面に把手の付いたキャリータイプのものがある。
【０００３】
この様な折り畳み紙箱として、特許文献１の従来技術に記載された折り畳み紙箱Ｂがある。この折り畳み紙箱Ｂは、一方の相対向する開口面の各側板が開閉自在となっており、これらの開口面の一つからケーキを出し入れするようになっている。この開口面からケーキを入れた後は、上下の開閉板を折り曲げて当該開口面を閉じ、上部の開閉板先端の係止部を下部の開閉板の切り込みである被係止部に差し入れて係止している（特許文献１公報図５参照）。
【先行技術文献】
【特許文献】
【０００４】
【特許文献１】実用新案登録第３１６１９４１号
【考案の開示】
【考案が解決しようとする課題】
【０００５】
しかしながら、この様な紙箱においては、上部の開閉板の係止部を下部の開閉板の被係止部にただ差し入れて係止しているので、外部からのちょっとした衝撃で上記上部の開閉板の係止部が下部の開閉板の被係止部から抜けてしまい、紙箱内の商品が外に出てしまうことがある。この様な紙箱内には、上述の通り食品を入れるため、係止部が被係止部から抜けると言うことはあってはならないことである。
【０００６】
この考案は、この様な状況に鑑みて行われたもので、従来の紙箱よりも、衝撃を受けても外れ難く、その反面手を加えれば開け易い、折り畳み紙箱の開閉板の係止構造を提供して上記課題を解決するものである。
【課題を解決するための手段】
【０００７】
請求項１の考案は、折り畳み紙箱の一方の相対向する各側面を夫々開口面とし、当該各開口面の上下の縁に折り目を介して上下の開閉板を設け、当該開閉板のどちらか一方の先端縁の略中央に略山形の第１差し込み舌片を設け、当該開閉板上であって上記第１差し込み舌片と略並行な位置に当該第１差し込み舌片と逆向きの略山形の切り込みを設け、当該切り込みに囲まれた部分を第２差し込み舌片とし、上記上下の各開閉板を折り込んで閉じた際、当該他方の開閉板上において、上記一方の開閉板の第１差し込み舌片及び上記第２差し込み舌片と対向する個所に略四角形状の開口を設け、上記上下の各開閉板を折り込んで閉じ、上記一方の開閉板の第２差し込み舌片を上記他方の開閉板の開口の一端縁内に差し入れ、当該一方の開閉板の先端縁の第１差し込み舌片を他方の開閉板の開口の他端縁内に差し入れて当該上下の各開閉板を固定する折り畳み紙箱の開閉板の係止構造とした。
【０００８】
請求項２の考案は、上記上下の開閉板に代えて、開口面の左右の縁に折り目を介して設けた左右の開閉板に各差し込み舌片及び開口を設けた上記請求項１に記載の折り畳み紙箱の開閉板の係止構造とした。
【０００９】
請求項３の考案は、上記一方の開閉板の第１差し込み舌片の両側外端縁に小突起を夫々設け、上記他方の開閉板の開口の上記第１差し込み片が挿入される端縁の両角部に横方向に向いた鉤型の切り込みを設け、上記小突起を含む第１差し込み舌片の横方向の長さを上記開口の切り込みを含む横方向の長さと同じか又はやや短く設け、上記各開閉板を折り込んで閉じ、上記第１差し込み舌片を他方の開閉板の開口の一端縁内に差し入れた際、当該第１差し込み舌片の各小突起が上記他方の開閉板の両側の切り込み周辺又は当該切り込みによって形成された小突片に係止される上記請求項１又は、２の何れかに記載の折り畳み紙箱の開閉板の係止構造とした。
【考案の効果】
【００１０】
請求項１又は２の何れかの考案によれば、他方の開閉板の略四角形状の開口の対向する端縁内に一方の開閉板の２つの差し込み舌片を夫々差し入れて係止するので、従来の、開閉板の切り込みにただ係止部を差し入れていたのとは異なり、衝撃を受けても外れ難く、その反面手を加えれば開け易い開閉板の係止構造を提供出来る。これにより、特に、食品を入れる折り畳み紙箱としては信頼性が高く、顧客にも喜ばれるものである。
【００１１】
請求項３の考案によれば、第１差し込み舌片の両側外端縁に小突起を設け、開口の底板側の両角部に鉤型の切り込みを設け、上記第１差し込み舌片を他方の開閉板の開口の一端縁内に差し入れた際、当該第１差し込み舌片の各小突起が上記他方の開閉板の両側の切り込み周辺又は当該切り込みによって形成された小突片に係止されるので、より、衝撃を受けても外れ難く、その反面手を加えれば開け易い開閉板の係止構造を提供する。
【図面の簡単な説明】
【００１２】
【図１】この考案の実施例１の折り畳み紙箱の開閉板の係止構造を示す正面図である。
【図２】この考案の実施例１の折り畳み紙箱の展開図である。
【図３】この考案の実施例１の折り畳み紙箱の下開閉板の開口の拡大図である。
【図４】この考案の実施例１の折り畳み紙箱の上開閉板の先端部の拡大図である。
【図５】この考案の実施例１の折り畳み紙箱の一方の開口面を開けた状態の正面図である。
【図６】この考案の実施例１の折り畳み紙箱の一方の開口面に左右の側面開閉板及び下開閉板を閉じた状態の正面図である。
【図７】この考案の実施例１の折り畳み紙箱の一方の開口面に左右の側面開閉板及び下開閉板を閉じ、さらに、その上から上開閉板を閉じようとしている状態の正面図である。
【図８】この考案の実施例１の折り畳み紙箱の下開閉板の開口に上開閉板の各差し込み舌片を差し入れた状態の一部断面図である。
【図９】この考案の実施例１の折り畳み紙箱の下開閉板の開口に上開閉板の第１差し込み舌片を差し入れ、当該第１差し込み舌片の小突起が上記開口の切り込みに係止されている状態をこの折り畳み紙箱の内側から見た一部説明図である。
【考案を実施するための形態】
【００１３】
（実施の形態例１）
以下、この考案の実施の形態例１の折り畳み紙箱の開閉板の係止構造を図に基づいて説明する。まず、この実施の形態例１において使用する折り畳み紙箱Ａの構成を説明する。
【００１４】
図２に示す様に、この折り畳み紙箱Ａは、正方形状の底板１の上端縁及び下端縁に折り目ａ、ａを介して横長長方形状の下開閉板２を夫々設け、これらの下開閉板２の先端縁側の略中央には横長長方形状の開口２ａを夫々設けている。これらの開口２ａの上記底板１側の両角部には、図２及び図３に示す様に、横方向に向いた鉤型の切り込み２ｂによって、この折り畳み紙箱Ａの内外に移動自在な小突片２ｃが夫々設けられている。また、この底板１の左端縁には折り目ｂを介して細幅の貼着片３を設けている。
【００１５】
この底板１の右端縁には折り目ｃを介して長方形状の右側板４を設けている。この右側板４の上端縁には折り目ｄを介して側面開閉板５を設け、下端縁には折り目ｅを介して側面開閉板５を設けている。
【００１６】
この右側板４の右端縁には折り目ｆを介して正方形状の天板６を設けている。この天板６の中央には大小二つの略半円形状の切り込み７ａ、７ｂを相対向して夫々設け、これらの切り込み７ａ、７ｂによって形成される湾曲帯状部を夫々立設させて把手部１１を形成するようになっている。
【００１７】
また、この天板６の上端縁及び下端縁に折り目ｇ、ｇを介して略山形の上開閉板８を夫々設け、これらの上開閉板８の突出した先端縁の中央には折り目ｈを介して略山形の第１差し込み舌片９ａをさらに突設しており、これらの第１差し込み舌片９ａの両側外端縁に、図４に示す、外向きの小突起９ｂを夫々設けている。第１差し込み舌片９ａの上記小突起９ｂを含む横方向の長さは、後述する下開閉板２の開口内に差し入れた際、当該小突起９ｂが切り込み２ｂ周辺又は当該切り込み２ｂによって形成された小突片２ｃに確実に係止されるように、当該切り込み２ｂを含む開口２の長さと同じか、又は少しだけ短く設けている。
【００１８】
また、これらの上開閉板８上であって、上記第１差し込み舌片９ａの並行な位置に、この第１差し込み舌片９ａと略同形で逆向きの山形の切り込み９ｃを設けて第２差し込み舌片９ｄを夫々設けている。ここでは、第２差し込み舌片９ｄを横方向に第１差し込み舌片９ａよりやや短く設けて、後述する下開閉板２の開口内に差し入れる際、入れ易くしている。
【００１９】
上記天板６の右端縁には折り目ｉを介して長方形状の左側板１０を設けている。この左側板１０の上端縁には折り目ｊを介し側面開閉板５を設け、下端縁には同様に折り目ｋを介して側面開閉板５を設けている。
【００２０】
次に、この折り畳み紙箱Ａを組み立てる。最初に、夫々の折り目ｂ、ｃ、ｆ、ｉを折り込んで略筒状の半紙箱を形成する。そして、上記貼着片３の一面に接着剤を塗布し、この貼着片３を対向する左側板１０の内側面の下端縁に貼り合わせて、図５に示す様に、筒状の紙箱を形成する。
【００２１】
そして、この紙箱の一方の開口面１２において、図６に示す様に、この開口面１２の左右の側面開閉板５を折り目ｋ、ｅを介して内側に折り込んでおく。続いて、この開口面１２の上開閉板８と下開閉板２を、図６及び図７に示す様に、当該上開閉板８を上側にして折り目ａ、ｇを介して内側に折り込む。その際、下開閉板２を内側に上開閉板８を外側にして折り込む。
【００２２】
その後、図８に示す様に、上記上開閉板８の切り込み９ｃによって形成される舌片９ｄを上記開口２ａの上端縁内に差し入れ、さらに、上記上開閉板８の第１差し込み舌片９ａを、上記下開閉板２の開口２ａの両角部の小突片２ｃを紙箱内に押し込んで、図９に示す様に、この第１差し込み舌片９ａの各小突起９ｂを鉤型の各切り込み２ｂに係止する。これにより、上開閉板８は上記下開閉板２にしっかりと固定され、ちょっとした外部からの衝撃では外れない。
【００２３】
上記実施の形態例１では、上開閉板８に第１差し込み舌片９ａや第２差し込み舌片９ｄを設け、下開閉板２に開口２ａを設けたが、第１差し込み舌片９ａや第２差し込み舌片９ｄを設けるのは上開閉板８に限らず、また、開口２ａを設けるのは下開閉板２に限らず、これらを逆にしても良いし、また、左右の側面開閉板５に夫々設けても良い。
【００２４】
また、上開閉板８の第１差し込み舌片９ａに小突起９ｂを設けたが、これらの小突起９ｂは無くても良く、さらに、下開閉板２の底板１側の両角部に鉤型の切り込み２ｂ及び小突片２ｃを設けたが、これらの切り込み２ｂ及び小突片２ｃは無くても良い。
【００２５】
また、折り畳み紙箱Ａとして、具体的な構成を記載しているが、折り畳み紙箱の構成としてはこれに限るものでは無く、側面に相対向する開口面１２を有するものであれば他の構成でももちろん良い。
【符号の説明】
【００２６】
Ａ    折り畳み紙箱
１    底板              ２    下開閉板        ２ａ  開口
２ｂ  切り込み          ２ｃ  小突片          ３    貼着片
４    右側板            ５    側面開閉板      ６    天板
７ａ  切り込み          ７ｂ  切り込み        ８    上開閉板
９ａ  第１差し込み舌片  ９ｂ  小突起          ９ｃ  第２差し込み舌片
１０    左側板          １１    把手部        １２    開口面
【図１】
0003188465.tif 000003
【図２】
0003188465.tif 000004
【図３】
0003188465.tif 000005
【図４】
0003188465.tif 000006
【図５】
0003188465.tif 000007
【図６】
0003188465.tif 000008
【図７】
0003188465.tif 000009
【図８】
0003188465.tif 000010
【図９】
0003188465.tif 000011